(57)【要約】【課題】大きなサイズの原稿を読み取る画像処理装置において、ユーザが所望する情報を確認し易くする。【解決手段】生成手段１１は、読取手段１７により読み取られた原稿を表すプレビュー画像データを生成する。表示制御手段１２は、生成されたプレビュー画像データの表す画像において予め定められた一部の領域である特定領域に位置する部分画像を、正立画像として表示手段１８に表示させる。【選択図】図２
2019062415.tif 000002
【特許請求の範囲】
【請求項１】
読取手段により読み取られた原稿を表すプレビュー画像データを生成する生成手段と、
前記プレビュー画像データの表す画像において予め定められた一部の領域である特定領域に位置する部分画像を、正立画像として表示手段に表示させる表示制御手段と
を有する画像処理装置。
【請求項２】
前記表示制御手段は、画像の回転を指示された場合、前記生成されたプレビュー画像データの表す画像を１８０度回転させた画像において前記特定領域に位置する部分画像を特定し、特定した部分画像を、前記表示手段に表示させる
請求項１に記載の画像処理装置。
【請求項３】
前記表示制御手段は、前記プレビュー画像データの表す画像の向きが予め定められた条件を満たす場合に、該画像を該条件に対応する角度だけ回転させ、回転された画像において前記特定領域に位置する部分画像を、前記表示手段に表示させる
請求項１又は２に記載の画像処理装置。
【請求項４】
前記読み取られた原稿のサイズ及び／又は規格を該原稿の属性として特定する第１特定手段
を更に有し、
前記表示制御手段は、前記属性と前記特定領域の座標との対応関係を記憶する記憶手段を参照し、前記特定された属性に対応する座標の領域を前記特定領域とする
請求項１乃至３のいずれか１項に記載の画像処理装置。
【請求項５】
前記プレビュー画像データを画像解析し、予め定められた条件を満たす矩形領域を解析結果に従って特定する第２特定手段
を更に有し、
前記表示制御手段は、前記特定された矩形領域を前記特定領域とする
請求項１乃至３のいずれか１項に記載の画像処理装置。
【請求項６】
前記プレビュー画像データを画像解析し、予め定められた条件を満たす矩形領域を解析結果に従って特定する第２特定手段
を更に有し、
前記表示制御手段は、前記プレビュー画像データを、前記特定された矩形領域の少なくとも一部が前記特定領域に重畳する向きに回転させ、回転させたプレビュー画像データのうちの前記特定領域に位置する部分画像を、前記表示手段に表示させる
請求項１乃至４のいずれか１項に記載の画像処理装置。
【請求項７】
前記矩形領域は、表題を表す文字列を含む１又は複数の文字列が矩形状の外枠により囲まれた領域である
請求項５又は６に記載の画像処理装置。
【請求項８】
コンピュータに、
読取手段により読み取られた原稿を表すプレビュー画像データを生成するステップと、
前記プレビュー画像データの表す画像において予め定められた一部の領域である特定領域に位置する部分画像を、正立画像として表示手段に表示させるステップと
を実行させるためのプログラム。
【発明の詳細な説明】
【技術分野】
【０００１】
本発明は、画像処理装置及びプログラムに関する。
【背景技術】
【０００２】
原稿の画像を読み取る装置において、読み取った原稿のプレビュー画像を表示する技術がある。例えば特許文献１には、プレビュー画像を表示する際に、入力された画像データの向きに依らず、プレビュー画像の向きを予め設定された向きで表示する画像送信装置が記載されている。
【先行技術文献】
【特許文献】
【０００３】
【特許文献１】特開２０１６−４８９６５号公報
【発明の概要】
【発明が解決しようとする課題】
【０００４】
ところで、例えばＡ０サイズ（841mm×1189mm）やそれ以上の大きさのサイズ等、大きなサイズの図面等の原稿をスキャンする大型の画像読取装置では、読み取った原稿の画像全体のサムネイル画像がプレビュー表示されるものがある。しかし、表示パネルにサムネイル画像が表示されたとしても、サムネイル画像では図番等の表題欄の文字が潰れてしまっている等により、ユーザは所望する情報を確認出来ない場合がある。
本発明は、図面等の大きなサイズの原稿を読み取る画像処理装置において、ユーザが所望する情報を確認し易くすることを目的とする。
【課題を解決するための手段】
【０００５】
本発明の請求項１に係る画像処理装置は、読取手段により読み取られた原稿を表すプレビュー画像データを生成する生成手段と、前記プレビュー画像データの表す画像において予め定められた一部の領域である特定領域に位置する部分画像を、正立画像として表示手段に表示させる表示制御手段とを有することを特徴とする。
【０００６】
本発明の請求項２に係る画像処理装置は、請求項１に記載の構成において、前記表示制御手段は、画像の回転を指示された場合、前記生成されたプレビュー画像データの表す画像を１８０度回転させた画像において前記特定領域に位置する部分画像を特定し、特定した部分画像を、前記表示手段に表示させることを特徴とする。
【０００７】
本発明の請求項３に係る画像処理装置は、請求項１又は２に記載の構成において、前記表示制御手段は、前記プレビュー画像データの表す画像の向きが予め定められた条件を満たす場合に、該画像を該条件に対応する角度だけ回転させ、回転された画像において前記特定領域に位置する部分画像を、前記表示手段に表示させることを特徴とする。
【０００８】
本発明の請求項４に係る画像処理装置は、請求項１乃至３のいずれか１項に記載の構成において、前記読み取られた原稿のサイズ及び／又は規格を該原稿の属性として特定する第１特定手段を更に有し、前記表示制御手段は、前記属性と前記特定領域の座標との対応関係を記憶する記憶手段を参照し、前記特定された属性に対応する座標の領域を前記特定領域とすることを特徴とする。
【０００９】
本発明の請求項５に係る画像処理装置は、請求項１乃至３のいずれか１項に記載の構成において、前記プレビュー画像データを画像解析し、予め定められた条件を満たす矩形領域を解析結果に従って特定する第２特定手段を更に有し、前記表示制御手段は、前記特定された矩形領域を前記特定領域とすることを特徴とする。
【００１０】
本発明の請求項６に係る画像処理装置は、請求項１乃至４のいずれか１項に記載の構成において、前記プレビュー画像データを画像解析し、予め定められた条件を満たす矩形領域を解析結果に従って特定する第２特定手段を更に有し、前記表示制御手段は、前記プレビュー画像データを、前記特定された矩形領域の少なくとも一部が前記特定領域に重畳する向きに回転させ、回転させたプレビュー画像データのうちの前記特定領域に位置する部分画像を、前記表示手段に表示させることを特徴とする。
【００１１】
本発明の請求項７に係る画像処理装置は、請求項５又は６に記載の構成において、前記矩形領域は、表題を表す文字列を含む１又は複数の文字列が矩形状の外枠により囲まれた領域であることを特徴とする。
【００１２】
本発明の請求項８に係るプログラムは、コンピュータに、読取手段により読み取られた原稿を表すプレビュー画像データを生成するステップと、前記プレビュー画像データの表す画像において予め定められた一部の領域である特定領域に位置する部分画像を、正立画像として表示手段に表示させるステップとを実行させるためのプログラムであることを特徴とする。
【発明の効果】
【００１３】
請求項１及び８に係る発明によれば、図面等の大きなサイズの原稿を読み取る画像処理装置において、表題等が記された特定領域の画像をユーザが確認し易くなる。
請求項２に係る発明によれば、図面等の大きなサイズの原稿を読み取る画像処理装置において、特定領域の画像をユーザが確認し易くなる。
請求項３に係る発明によれば、図面等の大きなサイズの原稿を読み取る画像処理装置において、特定領域の画像をユーザが確認し易くなる。
請求項４に係る発明によれば、特定領域の位置が特定し易くなる。
請求項５に係る発明によれば、特定領域の位置が特定し易くなる。
請求項６に係る発明によれば、特定領域の画像をユーザが確認し易くなる。
請求項７に係る発明によれば、表題等が記された特定領域の位置が特定し易くなる。
【図面の簡単な説明】
【００１４】
【図１】画像処理システムの構成を例示する図
【図２】画像処理システムの機能構成を例示する図
【図３】画像処理装置のハードウェア構成を例示する図
【図４】ユーザ端末のハードウェア構成を例示する図
【図５】画像処理装置の処理の流れを例示するフローチャート
【図６】プレビュー画像を例示する図
【図７】回転されたプレビュー画像を例示する図
【図８】プレビュー画面を例示する図
【図９】回転されたプレビュー画像を例示する図
【図１０】プレビュー画面を例示する図
【図１１】画像処理装置の処理の流れを例示するフローチャート
【図１２】表題欄の位置を例示する図
【図１３】従来の装置におけるプレビュー画面を例示する図
【図１４】従来の装置におけるプレビュー画面を例示する図
【発明を実施するための形態】
【００１５】
［１］構成
図１は本実施形態に係る画像処理システム１の構成を示すブロック図である。画像処理システム１は、画像処理装置１０、サーバ２０、及びユーザ端末３０を備える。画像処理装置１０は、用紙等の媒体に画像を形成する画像形成処理や、原稿等の媒体に形成された画像を読み取る画像読取処理等の画像処理を行う。サーバ２０はストレージサービス等の各種サービスを提供する。ユーザ端末３０は、例えばスマートフォン、タブレット端末、又はノートブック型ＰＣ（Personal Computer）である。画像処理装置１０は通信回線２によりサーバ２０及びユーザ端末３０に接続されている。通信回線２は、例えばインターネットや移動体通信網、電話回線、ＬＡＮ（local Area Network）などのうちの少なくとも１つを含む。
【００１６】
この実施形態では、ユーザ端末３０は画像処理装置１０のメニュー画面やプレビュー画面等を表示する表示手段としても機能する。ユーザ端末３０が画像処理装置１０の表示手段として用いられる場合、画像処理装置１０はメニュー画面やプレビュー画面等を表すデータをユーザ端末３０に送信し、ユーザ端末３０は画像処理装置１０から受信されるデータに従ってメニュー画面やプレビュー画面等の各種情報を自装置の表示パネルに表示する。
【００１７】
図２は画像処理システム１の機能構成を例示するブロック図である。図において、生成手段１１は、読取手段１７により読み取られた原稿を表すプレビュー画像データを生成する。表示制御手段１２は、生成されたプレビュー画像データの表す画像において予め定められた一部の領域である特定領域に位置する部分画像を、正立画像として表示手段１８に表示させる。この実施形態において、正立画像とは、上下方向が正しい向き（文字や画像が反転していない向き）で表示される画像、すなわち、上下（左右）が逆転していない画像を示す。
【００１８】
また、表示制御手段１２は、画像の回転を指示された場合、生成手段１１により生成されたプレビュー画像データの表す画像を１８０度回転させた画像において上記特定領域に位置する部分画像を特定し、特定した部分画像を、表示手段１８に表示させる。
【００１９】
第１特定手段１４は、読み取られた原稿のサイズ及び／又は規格を該原稿の属性として特定する。第２特定手段１５は、プレビュー画像データを画像解析し、予め定められた条件を満たす矩形領域を解析結果に従って特定する。
【００２０】
図３は画像処理装置１０のハードウェア構成を例示する図である。図において、メモリ１５１は各種データを記憶する。プロセッサ１５２はメモリ１５１に記憶されているプログラムに従いデータ処理を行う。通信ＩＦ１５３は外部の装置とネットワークを介したデータ通信を行うインターフェイスである。ＵＩ部１５４は例えばタッチスクリーンとキーとを備える。画像形成部１５５は電子写真方式で用紙等の媒体に画像を形成する。ＵＩ部１５４は画像処理装置１０に内蔵されていてもよく、また、外付けされて外部接続されるものであってもよい。画像読取部１５６は原稿（媒体）の画像を光学的に読み取る。画像処理部１５７は、例えばＤＳＰ（Digital Signal Processor）やＧＰＵ（Graphics Processing Unit）を備え、各種の画像処理を実行する。給紙部１５８は画像形成部１５５に用紙等の媒体を供給する。
【００２１】
この例で、メモリ１５１に記憶されているプログラムをプロセッサ１５２及び／又は画像処理部１５７が実行することにより、図２に示される機能が実装される。プログラムを実行しているプロセッサ１５２及び／又は画像処理部１５７は、生成手段１１、表示制御手段１２、第１特定手段１４、及び第２特定手段１５の例である。画像読取部１５６は、読取手段１７の例である。ＵＩ部１５４は、表示手段１８の例である。
【００２２】
図４はユーザ端末３０のハードウェア構成を例示する図である。図において、メモリ３５１は各種データを記憶する。プロセッサ３５２はメモリ３５１に記憶されているプログラムに従いデータ処理を行う。通信ＩＦ３５３は外部の装置と通信回線２を介したデータ通信を行うインターフェイスである。ＵＩ部３５４は例えばタッチスクリーンとキーとを備える。
【００２３】
［２］動作
ユーザは画像処理装置１０に原稿を縦方向又は横方向セットし、ＵＩ部１５４又はＵＩ部３５４を用いてスタートボタンを押下することによりスキャン処理を指示する。この実施形態において、原稿が「縦方向」であるとは、読み取られる原稿の搬送方向の長さが、搬送方向に垂直な方向の長さよりも長いことをいう。また、原稿が「横方向」であるとは、読み取られる原稿の搬送方向の長さが、搬送方向に垂直な方向の長さよりも短いことを言う。ＵＩ部１５４又はＵＩ部３５４においてスタートボタンが押下されることにより、原稿のスキャン処理が開始される。
【００２４】
図５は画像処理装置１０の処理の流れを示すフローチャートである。ステップＳ１０１において、画像処理装置１０のプロセッサ１５２はユーザにより原稿が画像処理装置１０にセットされ、スキャン処理が指示されるまで待機する。スキャン指示において画像処理装置１０のＵＩ部１５４が用いられる場合、画像処理装置１０のプロセッサ１５２がＵＩ部１５４に画像処理装置１０のメニュー画面を表示し、ユーザは、ＵＩ部１５４に表示された画面を用いて各種の処理の実行を指示する。
【００２５】
一方、ユーザ端末３０のＵＩ部３５４が用いられる場合、画像処理装置１０のプロセッサ１５２は、メニュー画面を表すデータをユーザ端末３０に送信し、ユーザ端末３０のプロセッサ３５２は、画像処理装置１０から受信されたデータに従ってメニュー画面をＵＩ部３５４に表示する。この場合、ユーザは、ＵＩ部３５４に表示されたメニュー画面を用いてスキャン処理の実行を指示する。スキャン処理の実行が指示された場合、ユーザ端末３０はユーザの操作内容を示すデータを画像処理装置１０に送信し、画像処理装置１０のプロセッサ１５２は、ユーザ端末３０からそのデータを受信することにより、スキャン処理の指示を検知する。スキャン処理が指示された旨を検知すると（ステップＳ１０１；ＹＥＳ）、プロセッサ１５２はステップＳ１０２の処理に進む。
【００２６】
ステップＳ１０２において、プロセッサ１５２は、画像読取部１５６を制御してスキャン処理を実行させる。すなわち、プロセッサ１５２は、画像処理装置１０にセットされた原稿の画像を画像読取部１５６に読み取らせる。読み取られた原稿を表す画像データは、予め設定された設定値に従って生成される。設定値は、例えば、画像データの解像度や、ファイルフォーマットを示す。例えば、解像度として６００dpiが設定され、ファイルフォーマットとしてＪＰＥＧ（Joint Photographic Experts Group）が設定されている場合、６００dpiのＪＰＥＧ形式のファイルが生成される。
【００２７】
ステップＳ１０３において、プロセッサ１５２は、画像読取部１５６により読み取られた原稿を表す画像データ（以下、「実スキャンデータ」という）からプレビュー画像データを生成する。この実施形態では、プロセッサ１５２は、実スキャンデータの解像度が、プレビュー画像の表示先のＵＩパネルが対応している解像度よりも高い場合、実スキャンデータの解像度を、取得された解像度に落としたプレビュー画像データを生成する。例えば、実スキャンデータの解像度が６００dpiである一方、ＵＩパネルの解像度が１００dpiである場合、実スキャンデータの解像度を１００dpiに落としたプレビュー画像データが生成される。なお、実スキャンデータの解像度がＵＩパネルの解像度以下である場合、プレビュー画像データの生成処理は行われない。この場合、実スキャンデータがそのままプレビュー画像データとして用いられる。この実施形態では、「プレビュー画像データ」は、読み取られた原稿全体の画像を表す画像データであって、プレビュー表示（格納される原稿の画像を表示する機能）で用いられる画像データを示す。
【００２８】
図６はプレビュー画像データの示すプレビュー画像を例示する図である。図６の例では、Ａ３サイズの図面がスキャンされたプレビュー画像Ｉ１０が示されている。プレビュー画像Ｉ１０は、原稿が縦方向で読み取られた画像であり、表題等が記された領域（以下「表題領域」という）Ｉ１１が左下の領域に設けられている。プレビュー画像Ｉ１０の搬送方向Ｓの原稿の長さは、搬送方向Ｓに垂直な方向の長さよりも短いため、プロセッサ１５２により読み取られた原稿は縦方向であると判断される。
【００２９】
図５の説明に戻る。ステップＳ１０４及びステップＳ１０５において、プロセッサ１５２は、プレビュー画像データの表すプレビュー画像の向きが予め定められた条件を満たす場合に、その条件に対応する角度だけプレビュー画像を回転させる。まず、ステップＳ１０４において、プロセッサ１５２は、読み取られた原稿が縦方向の原稿であるかを判定する。原稿が縦方向であると判定された場合（ステップＳ１０４；ＹＥＳ）、プロセッサ１５２はステップＳ１０５の処理に進む。一方、原稿が縦方向でないと判定された場合（ステップＳ１０４；ＮＯ）、プロセッサ１５２はステップＳ１０５の処理をスキップしてステップＳ１０６の処理に進む。
【００３０】
ステップＳ１０５において、プロセッサ１５２はプレビュー画像を９０度回転させる処理を行う。この実施形態では、プロセッサ１５２は、格納対象である実スキャンデータではなく、プレビュー用のプレビュー画像データに対して回転処理を施す。
【００３１】
図７はステップＳ１０５により回転されたプレビュー画像を例示する図である。プレビュー画像Ｉ１が左方向に９０度回転され、プレビュー画像Ｉ２となる。図７に例示されるように、この実施形態では、原稿が縦向きであると判定された場合、原稿の画像を９０度回転させる処理が行われる。
【００３２】
図５の説明に戻る。ステップＳ１０６において、プロセッサ１５２は、プレビュー画像データの表す画像において予め定められた一部の領域（以下「特定領域」という）に位置する部分画像を、正立画像として表示手段（ＵＩ部１５４又はＵＩ部３５４）に表示させる。この実施形態では、読み取られた原稿のサムネイル画像がプレビュー画像として表示されるのではなく、読み取った原稿の一部分が、読み取られた原稿と同程度の縮尺で表示される。この実施形態では、原稿の右下の領域（図７の領域Ａ１）がデフォルトの特定領域として特定され、この特定領域を含む部分画像が、読み取られた原稿と同程度の縮尺で表示される。特定領域の位置は、プレビュー画像の表示される向きにおいて相対的に決まるものであり、画像に対して絶対的に決まるものではない。
【００３３】
図８は表示手段の表示パネルに表示されるプレビュー画面を例示する図である。図において、画面Ｇ１は、プレビュー領域Ａ１１、プレビュー画像を回転させるためのボタンＢ１、ページ全体表示ボタンＢ２、拡大表示ボタンＢ３、保存ボタンＢ４等の表示部品を含む。図８に例示される画面が表示されている状態において、プロセッサ１５２はユーザにより操作がなされるまで待機する。ユーザ操作がなされると、プロセッサ１５２は図５のステップＳ１０７の処理に進む。
【００３４】
図５の説明に戻る。ステップＳ１０７において、ユーザにより保存ボタンが押下されて処理の実行が指示された場合（ステップＳ１０７；処理指示）、プロセッサ１５２はステップＳ１０８の処理に進む。一方、ユーザ操作によるプレビュー画像の回転が指示された場合（ステップＳ１０７；１８０度回転）、プロセッサ１５２はステップＳ１０９の処理に進む。
【００３５】
ステップＳ１０８において、プロセッサ１５２は、ステップＳ１０２で生成された実スキャンデータを予め定められたストレージに格納する処理を行う。ステップＳ１０８の処理を終えるとプロセッサ１５２は図５に示される一連のスキャン処理を終了する。
【００３６】
ステップＳ１０９において、プロセッサ１５２は、ステップＳ１０３で生成されたプレビュー画像データの表す画像を１８０度回転させた画像において、予め定められた右下の領域（特定領域）に位置する部分画像を特定し、特定した部分画像を、表示手段（ＵＩ部１５４又はＵＩ部３５４）に表示させる。
【００３７】
図９はステップＳ１０９により回転されたプレビュー画像を例示する図である。この例では、プレビュー画像Ｉ３が１８０度回転され、プレビュー画像Ｉ４となる。この実施形態では、特定領域Ａ１の画像が回転されるのではなく、プレビュー画像Ｉ３全体が１８０度回転され、回転されたプレビュー画像の右下の特定領域Ａ１に位置する部分画像が、プレビュー画面に表示される新たな部分画像となる。
【００３８】
図５の説明に戻る。ステップＳ１０９の処理を終えると、プロセッサ１５２は、ステップＳ１０６の処理に戻り、プレビュー画面の表示処理を行う。
【００３９】
図１０はステップＳ１０９により回転ボタンが押下される前のプレビュー画面Ｇ２を例示する図である。図１０のプレビュー画面Ｇ２において、回転ボタンＢ１が押下されると、プレビュー画像が１８０度回転されることにより、図８に例示されるプレビュー画面Ｇ１が表示手段に表示される。このとき、上述したように、プレビュー画面Ｇ２に表示された部分画像が１８０度回転されて表示されるのではなく、原稿全体のプレビュー画像が１８０度回転されることにより部分画像が別の部分画像に更新される。
【００４０】
ところで、図面等の大きなサイズの原稿を読み取る場合、読み取られた原稿全体が小さな画面でプレビュー表示されたとしても、ユーザは読み取られた原稿の内容を確認し難い場合がある。それに対しこの実施形態では、表題等が記された特定領域を含む画像が、読み取られた原稿と同程度の縮尺で表示されるため、ユーザが表題等を確認し易い。
【００４１】
また、例えばＡ０サイズといった大きなサイズの原稿の場合、原稿は縦向きに搬送される。この場合、読み込まれた原稿が縦方向であるため、そのままの方向でプレビュー表示が行われると、図１３及び図１４に例示されるように、表示される表題欄も縦向きになり、表題欄に記載されている部品名、部番などを確認しにくい。それに対しこの実施形態では、図１０に例示されるようにプレビュー画像の向きが上下逆になる場合、プレビュー画像の上下を判定する処理が行われる。図１０の回転ボタンＢ１が押下されると、プレビュー画像が１８０度回転され、回転されたプレビュー画像の右下の領域がプレビュー画面に表示される。このようにこの実施形態では、回転ボタンＢ１が押下されると、プレビュー画面に表示された部分画像が１８０度回転されるのではなく、原稿全体の画像が１８０度回転された場合の右下の特定領域の部分画像にプレビュー画面の表示が切り換えられる。これにより、ユーザは回転ボタンＢ１を押下するだけで、表題等の情報を確認し易い。
【００４２】
また、この実施形態では、格納対象である実スキャンデータではなく、プレビュー用のプレビュー画像データに対して回転処理が施される。実スキャンデータよりもプレビュー画像データのほうがデータ量は小さいため、実スキャンデータに対して処理が施される場合よりも処理負荷が低い。
【００４３】
［３］変形例
上述した実施形態は、本発明の実施の一例に過ぎず、以下のように変形させてもよい。また、上述した実施形態及び以下に示す各変形例は、必要に応じて組み合わせて実施してもよい。
【００４４】
（１）上述の実施形態において、プロセッサ１５２が、プレビュー画像データを画像解析し、予め定められた条件を満たす矩形領域を解析結果に従って特定し、特定された矩形領域が特定領域として用いられてもよい。
【００４５】
図１１はこの態様における画像処理装置１０の処理の流れを示すフローチャートである。図１１に示される処理が図５に示される処理と異なる点は、ステップＳ１０５の処理の後にステップＳ２０１の処理が行われる点である。ステップＳ２０１において、プロセッサ１５２は、読み取られた原稿のプレビュー画像データ（又は画像データ）を解析し、表題欄の位置を認識する。この態様において、表題欄の検出は、１又は複数の文字列が矩形状の外枠により囲まれた領域を検出することにより行われてもよい。また、複数の矩形領域が検出された場合、最も大きいサイズの矩形領域が、表題欄の領域として特定されてもよい。プロセッサ１５２は、特定した矩形領域を特定領域とし、特定領域に位置する部分画像を、表示手段に表示させる。
【００４６】
（２）また、上述の実施形態において、プロセッサ１５２が、表題欄の位置を認識し、回転方向を決めるようにしてもよい。例えば、特定された矩形領域がプレビュー画像の左上に位置している場合、プロセッサ１５２が、特定された矩形領域が右下の位置になるように、プレビュー画像を１８０度回転させる。このように、プロセッサ１５２が、プレビュー画像データを画像解析し、予め定められた条件を満たす矩形領域を解析結果に従って特定し、特定された矩形領域の少なくとも一部が予め定められた位置（特定領域）になる向き（矩形領域の少なくとも一部が特定領域に重畳する向き）にプレビュー画像データを回転させ、回転させたプレビュー画像データのうちの特定領域に位置する部分画像を、表示手段に表示させてもよい。
【００４７】
（３）上述の実施形態では、プレビュー画像の右下の領域が特定領域とされたが、特定領域の位置は上述したものに限られない。例えば、プレビュー画像の左上に位置する領域が特定領域とされてもよい。
【００４８】
（４）また、上述の実施形態において、プロセッサ１５２が、読み取られた原稿のサイズ及び／又は規格毎に、プレビュー表示する特定領域の位置を切り替えてもよい。表題欄の位置は、図１２に例示するように、原稿の規格の種別（例えば、ＩＳＯ、French、等）やサイズにより異なる。例えば、ＩＳＯ規格では右下であるが、French規格の場合、サイズによっては左下のものもある。そこで、原稿のサイズ及び／又は規格の種別（属性）と表題欄の位置（座標）との対応関係を記憶するテーブルを予めメモリ１５１（記憶手段）に記憶させておく構成とし、プロセッサ１５２が、このテーブルを参照して、読み取られた原稿のサイズ及び／又は規格を原稿の属性として特定し、特定した属性に対応する位置を表題欄の位置と特定するようにしてもよい。
【００４９】
原稿の規格の種別は、ユーザがＵＩ部１５４を操作することにより選択されてもよく、また、プロセッサ１５２がプレビュー画像データを画像解析してパターンマッチング等の処理を行うことにより特定してもよい。
【００５０】
（５）上述の実施形態では、図５のステップＳ１０５において、プロセッサ１５２はプレビュー画像を左方向に９０度回転させる処理を行った。プレビュー画像を回転させる方向や角度は上述した実施形態で示したものに限られない。例えば、プロセッサ１５２は、プレビュー画像を左方向でなく右方向に９０度回転させる処理を行ってもよい。
【００５１】
（６）上述した実施形態において、画像処理装置１０のプロセッサ１５２により実行されるプログラムは、インターネットなどの通信回線を介してダウンロードされてもよい。また、これらのプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【符号の説明】
【００５２】
１…画像処理システム、２…通信回線、１０…画像処理装置、１１…生成手段、１２…表示制御手段、１４…第１特定手段、１５…第２特定手段、１７…読取手段、１８…表示手段、２０…サーバ、３０…ユーザ端末、１５１，３５１…メモリ、１５２，３５２…プロセッサ、１５３，３５３…通信ＩＦ、１５４，３５４…ＵＩ部、１５５…画像形成部、１５６…画像読取部、１５７…画像処理部、１５８…給紙部。
【図１】
2019062415.tif 000003
【図２】
2019062415.tif 000004
【図３】
2019062415.tif 000005
【図４】
2019062415.tif 000006
【図５】
2019062415.tif 000007
【図６】
2019062415.tif 000008
【図７】
2019062415.tif 000009
【図８】
2019062415.tif 000010
【図９】
2019062415.tif 000011
【図１０】
2019062415.tif 000012
【図１１】
2019062415.tif 000013
【図１２】
2019062415.tif 000014
【図１３】
2019062415.tif 000015
【図１４】
2019062415.tif 000016